(57)【要約】【課題】  発光素子の組込みがより簡易で、導通接続の信頼性が高く、取付け部品の少ない、発光素子とその駆動のための部品の配設構成を持つ電子時計を提供する。【解決手段】  時刻を表示するための時刻表示部３と、時刻表示部３を駆動するための時計駆動部５と、時刻表示部３を照明するための発光素子７Ａ，７Ｂと、発光素子７Ａ，７Ｂを搭載するとともに該発光素子７Ａ，７Ｂを駆動するための電子部品７６Ａ，７６Ｂを搭載する発光素子基板７５とを備え、発光素子基板７５を時計駆動部５と前記時刻表示部３の間に配設した。【選択図】        図２
2006266843.tif 000002
【特許請求の範囲】
【請求項１】
時刻を表示するための時刻表示部と、
前記時刻表示部を駆動するための時計駆動部と、
前記時刻表示部を照明するための発光素子と、
前記発光素子を搭載するとともに該発光素子を駆動するための電子部品を搭載する発光素子基板とを備え、
前記発光素子基板を前記時計駆動部と前記時刻表示部の間に配設したことを特徴とする電子時計。
【請求項２】
前記時刻表示部は文字板を有し、
前記発光素子基板を前記時計駆動部と前記文字板の間に配設したことを特徴とする請求項１に記載の電子時計。
【請求項３】
前記文字板が前記発光素子を露呈するための開口部を有することを特徴とする請求項２に記載の電子時計。
【請求項４】
前記時刻表示部の周縁部分に環状の導光部材を配設するとともに、
前記発光素子を前記導光部材の下側に配設したことを特徴とする請求項１に記載の電子時計。
【請求項５】
前記文字板の周縁部分に環状の導光部材を配設するとともに、
前記発光素子を前記導光部材の下側に配設したことを特徴とする請求項２または請求項３に記載の電子時計。
【請求項６】
前記導光部材は前記発光素子と対向する部分に、光を前記時刻表示部の中央側へ導く反射面を有することを特徴とする請求項４または請求項５に記載の電子時計。
【請求項７】
前記発光素子は、前記時刻表示部と対向する前記発光素子基板の上面に搭載されており、
前記発光素子を駆動するための電子部品の少なくとも一部は、前記時計駆動部と対向する前記発光素子基板の下面に搭載されていることを特徴とする請求項１に記載の電子時計。
【請求項８】
前記発光素子は、前記文字板と対向する前記発光素子基板の上面に搭載されており、
前記発光素子を駆動するための電子部品の少なくとも一部は、前記時計駆動部と対向する前記発光素子基板の下面に搭載されていることを特徴とする請求項２に記載の電子時計。
【請求項９】
前記発光素子を駆動するための電子部品の少なくとも一部は、前記時計駆動部に設けた窪み部または開口部内に収納されていることを特徴とする請求項７または請求項８に記載の電子時計。
【請求項１０】
前記窪み部または開口部が前記時計駆動部を構成する地板またはスペーサ部材に設けられていることを特徴とする請求項９に記載の電子時計。
【請求項１１】
前記発光素子基板は、前記時計駆動部を構成する地板の平面領域内に配置されていることを特徴とする請求項１または請求項２に記載の電子時計。
【請求項１２】
前記時刻表示部が長角形状であり、前記発光素子を前記時刻表示部の長手方向の両端部に設けたことを特徴とする請求項１に記載の電子時計。
【請求項１３】
前記文字板が長角形状であり、前記発光素子を前記文字板の長手方向の両端部に設けたことを特徴とする請求項２に記載の電子時計。
【発明の詳細な説明】
【技術分野】
【０００１】
本発明は、時刻表示部を照明する発光素子を有する電子時計に関する。特に、発光素子とその駆動のための部品の配設構成に関する。
【背景技術】
【０００２】
従来から、文字板と針等からなる時刻表示部を照明するランプや紫外線発光素子等を有する電子時計が提案また製造されてきている。
【０００３】
例えば、時計ムーブメントや回路部材にランプをリード板によりねじなどで接続固定し、導光リングまたは導光材からなるダイヤルリングでランプの光を文字板周辺に導くもの（特許文献１、特許文献２、特許文献３参照）、紫外線発光素子を枠状部材に埋設し、文字板及び針上に設けてある発光部を照らすもので、紫外線発光素子をアナログ指針機構の下に設けた回路基板と、支持軸、接続部材、コイルばね、又は足ピンによって導通接続しているもの（特許文献４参照）などが見出せる。
【特許文献１】実公昭６１−３２３９３号公報（第１頁第１欄下から第４行目乃至第２欄第７行目、第１図）
【特許文献２】実公昭６１−４６４６７号公報（第１頁第１欄下から第１１行目乃至第２欄第９行目、第１図、第２図）
【特許文献３】実公昭６０−４１４２号公報（第１頁第２欄第３行目乃至第２頁第３欄第３８行目、第１図、第２図、第３図）
【特許文献４】特開２００３−２２７８８４号公報（段落［００３０］、段落［００３３］、段落［００６７］、図２、図１９）
【発明の開示】
【発明が解決しようとする課題】
【０００４】
しかしながら、上記従来のランプ、紫外線発光素子などは、時計ムーブメントや回路部材または回路基板にリードを介してねじなどで固定されるため、また、導通接続される回路基板が、文字板から離れたアナログ指針機構の下に配置されリードが必要となるため、ランプ、紫外線発光素子の組込み、導通接続の信頼性、リード及びその取付け部品が必要など問題があった。
【０００５】
そこで、本発明は、発光素子の組込みがより簡易で、導通接続の信頼性が高く、取付け部品の少ない、発光素子とその駆動のための部品の配設構成を持つ電子時計を提供することを課題とする。
【課題を解決するための手段】
【０００６】
上記の課題解決のため、本発明では、時刻を表示するための時刻表示部と、前記時刻表示部を駆動するための時計駆動部と、前記時刻表示部を照明するための発光素子と、前記発光素子を搭載するとともに該発光素子を駆動するための電子部品を搭載する発光素子基板とを備え、前記発光素子基板を前記時計駆動部と前記時刻表示部の間に配設した電子時計とする。これによって、発光素子とこれを駆動するための電子部品を発光素子基板に搭載し、発光素子基板を時計駆動部と時刻表示部の間に配設することにより、発光素子及びこの駆動回路は発光素子基板と一体に扱うことができ、製品への組立てが容易となる、また、発光素子の位置は時刻表示部と同レベル近くにできるので、発光素子からの発光を効率よく活用できる。さらに、発光素子は発光素子基板に直接接続されるため余分なリード板などは無くすことが可能となる。また、発光素子基板の範囲内であれば、時刻表示部に関係する任意の位置に発光素子を配置することも可能とできる。
【０００７】
さらに、前記時刻表示部は文字板を有し、前記発光素子基板を前記時計駆動部と前記文字板の間に配設した電子時計とすれば、発光素子が文字板を効率よく照らすのみならず、透明性のある文字板とすれば、文字板自体を導光板として活用できる。
【０００８】
さらに、前記文字板が前記発光素子を露呈するための開口部を有する電子時計とすれば、文字板に遮られず照明光を確実に確保できる。
【０００９】
さらに、前記時刻表示部の周縁部分に環状の導光部材を配設するとともに、前記発光素子を前記導光部材の下側に配設した電子時計とすれば、時刻表示部全体に照明光が行き渡る構造とできる。
【００１０】
さらに、前記文字板の周縁部分に環状の導光部材を配設するとともに、前記発光素子を前記導光部材の下側に配設した電子時計とすれば、文字板全体に照明光が行き渡る構造とできる。
【００１１】
さらに、前記導光部材は前記発光素子と対向する部分に、光を前記時刻表示部の中央側へ導く反射面を有する電子時計とすれば、発光素子からの光の不要な拡散を防止できる。
【００１２】
さらに、前記発光素子は、前記時刻表示部と対向する前記発光素子基板の上面に搭載されており、前記発光素子を駆動するための電子部品の少なくとも一部は、前記時計駆動部と対向する前記発光素子基板の下面に搭載されている電子時計とすれば、電子時計内の狭い空間を有効に活用できる。
【００１３】
さらに、前記発光素子は、前記文字板と対向する前記発光素子基板の上面に搭載されており、前記発光素子を駆動するための電子部品の少なくとも一部は、前記時計駆動部と対向する前記発光素子基板の下面に搭載されている電子時計とすれば、発光素子が文字板を効率よく照らすのみならず、電子時計内の狭い空間を有効に活用できる。また透明性のある文字板を用いれば、文字板自体を導光板として活用でき、文字板全体に光を導いて時刻表示部全体を効率よく照明することができる。
【００１４】
さらに、前記発光素子を駆動するための電子部品の少なくとも一部が、前記時計駆動部に設けた窪み部または開口部内に収納されている電子時計とすれば、電子時計内の狭い空間を有効に活用できる。
【００１５】
さらに、前記窪み部または開口部が前記時計駆動部を構成する地板またはスペーサ部材に設けられている電子時計とすれば、電子時計内の狭い空間を一層有効に活用できる。
【００１６】
さらに、前記発光素子基板は、前記時計駆動部を構成する地板の平面領域内に配置されている電子時計とすれば、電子時計内の狭い空間をさらに一層有効に活用できる。
【００１７】
さらに、前記時刻表示部が長角形状であり、前記発光素子を前記時刻表示部の長手方向の両端部に設けた電子時計とすれば、発光素子の配設が容易となり、合理的配置とできる。
【００１８】
さらに、前記文字板が長角形状であり、前記発光素子を前記文字板の長手方向の両端部に設けた電子時計とすれば、発光素子の配設が容易となり、合理的配置とできる。
【発明の効果】
【００１９】
本発明によれば、発光素子とこれを駆動するための電子部品を発光素子基板に搭載し、発光素子基板を時計駆動部と時刻表示部の間に配設することにより、発光素子及びこの駆動回路は発光素子基板と一体に扱うことができ、製品への組立てが容易となる、また、発光素子の位置は時刻表示部と同レベル近くにできるので、発光素子からの発光を効率よく活用できる。さらに、発光素子は発光素子基板に直接接続されるため余分なリード板などは無くすことが可能となる。
【発明を実施するための最良の形態】
【００２０】
以下、本発明の実施の形態を図示例を伴い説明する。
図１は、本発明の一実施の形態における、時刻表示部側、ここでは文字板側から観た電子時計の平面図である。図２は、図１の実施の形態における電子時計のＸ−Ｘ線に沿った断面図で、文字板を下側として示す。
【００２１】
図１と図２とに基づいて、一実施の形態を説明する。
【００２２】
ここに於ける電子時計１は、時刻を表示するための時刻表示部３と、時刻表示部３を駆動するための時計駆動部５と、時刻表示部３を照明するための発光素子７Ａ，７Ｂ（ここでは２つの発光素子としてのＬＥＤ２つである。）と、該発光素子７Ａ，７Ｂを搭載するとともに該発光素子７Ａ，７Ｂを駆動するための昇圧回路等の電子部品７６Ａ，７６Ａ，７６Ｂ，７６Ｂを搭載する発光素子基板７５とを備え、発光素子基板７５を時計駆動部５と時刻表示部３の間に配設した。発光素子基板７５は文字板３２の側に発光素子７Ａ，７Ｂを、反対の地板５１側に電子部品７６Ａ，７６Ａ，７６Ｂ，７６Ｂを搭載する。これらの電子部品７６Ａ，７６Ａ，７６Ｂ，７６Ｂは、地板５１及びスペーサ部材５２でできた空間窪み部５２Ａ、５２Ｂに配置される。なお図１の１１は、巻真である。
【００２３】
この実施の形態では、時刻表示部３は文字板３２を含んでおり、発光素子基板７５を時計駆動部５と文字板３２との間に配設している。時刻表示部３すなわち文字板３２の外周部分に環状の導光部材９を配設するとともに、発光素子７Ａ，７Ｂは図１によれば、導光部材９の下側で１２時と６時の位置に配設している。
【００２４】
時刻表示部３は、文字板３２の他に、時針３４、分針３５、秒針３６を含み、これらは、それぞれ時計駆動部５の輪列の内の筒車５４、中心車５５、四番車５６に嵌合固定されている。
【００２５】
上記の時計駆動部５の輪列は、時計の地板５１に載置されるか、地板５１と輪列受５３の間のスペーサ部材５２の空間である窪み部５２Ｃに配置されている。電池６は、電池スペーサ６２を介し、電池枠６３に囲まれて時計に収納される。また、輪列受５３と地板５１の間には、時計駆動用ＩＣ５８を固着した時計駆動用基板５７が設けられている。
【００２６】
発光素子７Ａ，７Ｂは、発光素子基板７５に搭載されているが、文字板３２の外周部を切欠いて設けた開口部３２Ａ，３２Ｂに顔を出すように配設される。発光素子基板７５は、ねじ７５Ａによって地板５１の上面（図１を基準）に取り付けられ、文字板３２は、文字板受け板３３を挟んでその上に固定される。
【００２７】
発光素子７Ａ，７Ｂのマイナス側電極は、発光素子基板７５のマイナスパターン７７に接続され、さらにマイナスパターン７７と電気的に接続されるコイルばね７８、マイナスばね７９、電池のマイナス缶６１Ａの順に電気的導通がとられている。一方で、発光素子７Ａ，７Ｂのプラス側電極は、発光素子基板７５のプラスパターン８１に接続されており、このプラスパターン８１はネジ７５Ａを通して金属性の地板５１と導通している。さらに地板５１には電池６のプラス缶６１Ｂを保持する電池支持枠６５がネジ（図示せず）によって固定されている。この構造により発光素子７Ａ，７Ｂのプラス側電極と電池６のプラス缶６１Ｂが導通している。発光素子を電池とを導通するためのこれらの部材を導通接続部材８と呼ぶ。
【００２８】
また、発光素子基板７５には発光素子７Ａ，７Ｂを点灯するための信号を入力するスイッチパターン８２が設けられており、このスイッチパターン８２にはスペーサ５２の軸５２Ｄに係合して位置決めされたコイルばね８３が圧接して導通している。一方電池支持枠６５には発光素子７Ａ，７Ｂを点灯するためのスイッチ部材８４が一体に設けられており、図１の矢印ＰＢの方向にプッシュボタンによって押され、スイッチ部材８４が弾性変形することによりコイルばね８３と接触導通するように構成されている。
【００２９】
なお説明を省略したが、発光素子７Ａ，７Ｂと電池６との導通経路には昇圧回路などの電子部品が適宜接続されている。
【００３０】
透明な材質からなる環状の導光部材９は、文字板３２の外周部分に配設し、発光素子７Ａ，７Ｂを、図１の導光部材９の下側で１２時と６時の位置に配設する。導光部材９は、１２時と６時の位置に発光素子７Ａ，７Ｂの収容部９１Ａを有している。導光部材９は、発光素子７Ａ，７Ｂが配置される部分を中心に、発光素子７Ａ，７Ｂと対向する部分に光を時刻表示部（文字板）の中央側へ導く反射面９２Ａ、９２Ｂを有している。こうして発光素子からの光の不要な拡散を防止できる。また、導光部材９に入った光の一部は環状部分を導光し、途中で時刻表示部（文字板）の中心側へ照射されて時刻表示部全体を周囲から照明するように作用する。
【００３１】
次に、発光素子７Ａ，７Ｂ関係の部品の組付け、及び、時刻表示部３の組込みについて説明する。地板５１、輪列、スペーサ部材５２、時計駆動用基板５７、輪列受け５３、その他のマイナスばね７９を相互に組み込んだ後、時刻表示部３の付く側（文字板３２の付く側）を上にして、コイルばね７８、コイルばね８３を組み込む。さらに筒車５４を載せ、発光素子７Ａ，７Ｂとこれを駆動するための電子部品７６Ａ，７６Ａ，７６Ｂ，７６Ｂ等を搭載した発光素子基板７５を地板５１の上面に位置を決めた後、ねじ７５Ａ等で固定する。その後文字板３２を搭載して固定する。この時、発光素子基板７５と地板５１の間には、図示しない絶縁シートなどを介入させて、電気的なショートを防止している。その後、時針３４、分針３５、秒針３６を各車の軸に取り付ける。導光部材９は、文字板３２の周縁部分に載置し、１２時と６時の位置にある発光素子７Ａ，７Ｂを収容部９１Ａ，９１Ｂ（９１Ａのみ図２に表示）でカバーするように置かれる。導光部材９は、時計外装（ケース）により最終的に固定される。このように、この実施の形態では、極めて簡単に部品を載置し固定するなどの単調な繰り返しで組立てが可能である。
【００３２】
次に発光素子７Ａ，７Ｂの動作と作用について説明する。発光素子７Ａ，７Ｂとこれを駆動するための電子部品７６Ａ，７６Ａ，７６Ｂ，７６Ｂ等は発光素子基板７５に搭載されるため、発光素子基板７５上の配線による接続で一体化され、接続の信頼性が高い。発光素子７Ａ，７Ｂの点灯が必要な場合、図１の矢印ＰＢのように時計ケース外部からプッシュボタンを押すとスイッチ部材８４はコイルばね８３と接触し導通する。これによって、上述の発光素子７Ａ，７Ｂのプラス側電極の接続回路が接続される。発光素子７Ａ，７Ｂのマイナス側電極の接続回路は接続し閉じているので、発光素子７Ａ，７Ｂは、電池６からの電気により発光する。この発光は、導光部材９の反射面９２Ａ，９２Ｂで反射された光も含め、導光部材９を伝わって、放射され文字板全体を効率よく照らすことになる。この反射光の一例を図２の矢印Ｒとして示す。
【００３３】
上述のように、本実施の形態では、発光素子７Ａ，７Ｂとこれを駆動するための電子部品７６Ａ，７６Ａ，７６Ｂ，７６Ｂ等を発光素子基板７５に搭載し、発光素子基板７５を時計駆動部５と時刻表示部３の間に配設することにより、発光素子７Ａ，７Ｂ及びこの駆動回路（電子部品７６Ａ，７６Ａ，７６Ｂ，７６Ｂ等）は発光素子基板７５と一体に扱うことができ、製品への組立てが容易となる、また、発光素子７Ａ，７Ｂの位置は時刻表示部３と同レベルと同じ又は近くにできるので、発光素子７Ａ，７Ｂからの発光を効率よく活用できる。さらに、発光素子７Ａ，７Ｂは発光素子基板７５に直接接続されるため余分なリード板などは無くすことが可能となる。また、発光素子基板７５の形状によって、時刻表示部３に関係する任意の位置に発光素子７Ａ，７Ｂを配置することも可能とできる。
【産業上の利用可能性】
【００３４】
以上のように、本発明は、照明用発光素子付きの電子時計を実現するのに有用である。
【図面の簡単な説明】
【００３５】
【図１】本発明の一実施の形態における、時刻表示部側、ここでは文字板側から観た電子時計の平面図である。
【図２】図１の実施の形態における電子時計のＸ−Ｘ線に沿った断面図で、文字板を下側として示す。
【符号の説明】
【００３６】
１  電子時計、３  時刻表示部、５  時計駆動部、６  電池、７Ａ，７Ｂ  発光素子、８  導通接続部材、９  導光部材、１１  巻真、３２  文字板、３２Ａ，３２Ｂ  開口部、３３  文字板受け板、３４  時針、３５  分針、３６  秒針、５１  地板、５２  スペーサ部材、５２Ａ，５２Ｂ，５２Ｃ  窪み部、５２Ｄ  円錐状の軸、５３  輪列受、５４  筒車、５５  中心車、５６  四番車、５７  時計駆動用基板、５８  時計駆動用ＩＣ、６１Ａ  電池のマイナス缶、６１Ｂ  電池のプラス缶、６２  電池スペーサ、６３  電池枠、６５  電池支持枠、７５  発光素子基板、７５Ａ  ねじ、７６Ａ，７６Ｂ  電子部品、７７  マイナスパターン、７８  コイルばね、７９  マイナスばね、８１  プラスパターン、８２  スイッチパターン、８３  コイルばね、８４  スイッチ部材、９１Ａ，９１Ｂ  収容部、９２Ａ、９２Ｂ  反射面、ＰＢ  矢印（プッシュボタンの押し方向）、Ｒ  矢印（反射光の例）。
【図１】
2006266843.tif 000003
【図２】
2006266843.tif 000004